(57)【要約】【目的】意識することなく正確な検知計測が可能な尿糖検知便座を提供する。【構成】便器の便座がＯ型であり、  該便座には臭いセンサが組み込まれると共に、使用者が便座に着座した際の両腿間となる位置であるＯ型の前端部の便座上面に表示部が配設された構成であり、  便座に着座した使用者の排尿の臭気を前記臭いセンサが検知し、この検知した臭いから尿に含まれる尿糖を計測し、この計測した値に基き計測結果を前記表示部に表示する構成であること、  を特徴とする。【選択図】        図１
2018040701.tif 000002
【特許請求の範囲】
【請求項１】
便器の便座がＯ型であり、
該便座には臭いセンサが組み込まれると共に、使用者が便座に着座した際の両腿間となる位置であるＯ型の前端部の便座上面に表示部が配設された構成であり、
便座に着座した使用者の排尿の臭気を前記臭いセンサが検知し、この検知した臭いから尿に含まれる尿糖を計測し、この計測した値に基き計測結果を前記表示部に表示する構成であること、
を特徴とする尿糖検知便座。
【請求項２】
便座のＯ型の前方部分の内周面乃至は下面に臭気取込部が設けられ、該臭気取込部から取り込んだ臭気を排気する臭気排気部が便座のＯ型の外周面乃至は上面に設けられた構成であり、
前記臭気取込部から臭気排気部の経路中で前記臭いセンサが臭気を検知する構成であること、
を特徴とする請求項１に記載の尿糖検知便座。
【請求項３】
前記臭いセンサが、排尿の臭気中のケトン体を検知する構成であることを特徴とする請求項１又は２に記載の尿糖検知便座。
【請求項４】
尿糖の計測結果として特定量の尿中の含有量を前記表示部に表示する構成であることを特徴とする請求項１〜３のいずれかに記載の尿糖検知便座。
【請求項５】
尿糖の計測結果として、異常の有無を前記表示部に表示する構成であることを特徴とする請求項１〜４のいずれかに記載の尿糖検知便座。
【請求項６】
尿糖の計測結果として、異常の程度を前記表示部に表示する構成であることを特徴とする請求項５に記載の尿糖検知便座。
【請求項７】
尿糖の計測結果に基き、健康に関する指導・助言、健康に関する注意・警告、通院に関する指導・注意・警告、の少なくとも一つを前記表示部に表示する構成であることを特徴とする請求項１〜６のいずれかに記載の尿糖検知便座。
【請求項８】
表示部の表示画面の表面が、表示光を透過し得る多数の微細孔を有したスクリーンで被覆されており、該スクリーンが、該スクリーンの周囲の便座表面と略同一の色及び／又は模様を有する構成であることを特徴とする請求項１〜７のいずれかに記載の尿糖検知便座。
【請求項９】
前記スクリーン及び便座が濃色であることを特徴とする請求項８に記載の尿糖検知便座。
【請求項１０】
前記表示部に表示される表示内容の一部乃至は全部が、便座に座した使用者が目視可能な壁面・ドア面・天井面・床面のいずれかに投影表示される構成であることを特徴とする請求項１〜９のいずれかに記載の尿糖検知便座。
【請求項１１】
前記表示部に表示される表示内容の一部乃至は全部が、便座に座した使用者が目視可能な壁面・ドア面・天井面・床面のいずれかに配設された表示画面に有線又は無線を介して表示される構成であることを特徴とする請求項１〜９のいずれかに記載の尿糖検知便座。
【請求項１２】
脱臭機能を有する便器に適用する場合、検知時は脱臭機能をオフとし、検知後に脱臭機能をオンとする構成であることを特徴とする請求項１〜１１に記載の尿糖検知便座。
【発明の詳細な説明】
【技術分野】
【０００１】
本発明は尿糖検知便座に関し、詳しくは、便所使用時に尿糖を検知測定し、日々の健康管理に有用な尿糖検知便座に関する。
【背景技術】
【０００２】
家庭において日々の健康管理を行うために、体調に関するデータとして体重・体脂肪率の測定が最も一般的であるが、これら以外にも種々の体調に関するデータを取得することが種々提案されている。
【０００３】
健康管理のために取得する種々の体調に関するデータとしては、特に近年では、尿糖の計測が重要視されてきている。
【０００４】
これは、食生活の欧米化、過食や運動不足による肥満から糖尿病、高血圧、高脂血症などの生活習慣病が増加しているためである。中でも、糖尿病・腎臓病は自覚症状が乏しいため早期発見が困難であるが、自分で簡単にできる排尿のチェックを習慣化することにより早期発見が可能である。
【０００５】
しかし、毎日欠かさずに排尿のチェックを行うことは「言うは易く行うは難し」であり、習慣付けることは困難である。
【０００６】
そこで、トイレの便器に体調に関するデータを検知測定できるセンサを設置して意識的な習慣化に頼らずとも検知測定を行うことができる技術が提案されている（例えば、特許文献１、２参照）。
【０００７】
特許文献１には、臭いセンサを含む各種センサによって生活習慣病リスク因子を簡易に収集する健康管理システムに関する技術が記載されている。
【０００８】
特許文献２には、便器の便座部分に尿糖センサが組み込まれており、この尿糖センサのセンサ部分に排尿を直接掛けることにより尿糖を検出する技術が記載されている。
【先行技術文献】
【特許文献】
【０００９】
【特許文献１】特開２００６−２６０３７号公報
【特許文献２】特開昭６４−５３１６２号公報
【発明の概要】
【発明が解決しようとする課題】
【００１０】
特許文献１の技術では、体調に関する多数のデータを検知計測でき、尿糖計測についても触れられてはいるが具体的な計測構成等についての記載は見当たらない。また、検知計測項目が多岐に亘るが故に毎日のチェックにおいては個々の項目各々の確認が疎かになってしまうという不都合を有している。
【００１１】
特許文献２の技術では、センサ部分に必要充分な量の尿を確実に掛かるように排尿しなければならず、自然且つ健康的な排尿が困難になるという不都合を有している。更に、検知計測の度に、尿が掛かったセンサ部分の洗浄を確実に行わなければならず、洗浄が不充分であった場合や日々堆積した汚れ等によって計測値が不正確になる場合があるという問題点を有している。
【００１２】
そこで本発明の目的は、意識することなく正確な検知計測が可能な尿糖検知便座を提供することにある。
【課題を解決するための手段】
【００１３】
上記課題を解決する本発明は下記構成を有する。
【００１４】
１．便器の便座がＯ型であり、
該便座には臭いセンサが組み込まれると共に、使用者が便座に着座した際の両腿間となる位置であるＯ型の前端部の便座上面に表示部が配設された構成であり、
便座に着座した使用者の排尿の臭気を前記臭いセンサが検知し、この検知した臭いから尿に含まれる尿糖を計測し、この計測した値に基き計測結果を前記表示部に表示する構成であること、
を特徴とする尿糖検知便座。
【００１５】
２．便座のＯ型の前方部分の内周面乃至は下面に臭気取込部が設けられ、該臭気取込部から取り込んだ臭気を排気する臭気排気部が便座のＯ型の外周面乃至は上面に設けられた構成であり、
前記臭気取込部から臭気排気部の経路中で前記臭いセンサが臭気を検知する構成であること、
を特徴とする上記１に記載の尿糖検知便座。
【００１６】
３．前記臭いセンサが、排尿の臭気中のケトン体を検知する構成であることを特徴とする上記１又は２に記載の尿糖検知便座。
【００１７】
４．尿糖の計測結果として特定量の尿中の含有量を前記表示部に表示する構成であることを特徴とする上記１〜３のいずれかに記載の尿糖検知便座。
【００１８】
５．尿糖の計測結果として、異常の有無を前記表示部に表示する構成であることを特徴とする上記１〜４のいずれかに記載の尿糖検知便座。
【００１９】
６．尿糖の計測結果として、異常の程度を前記表示部に表示する構成であることを特徴とする上記５に記載の尿糖検知便座。
【００２０】
７．尿糖の計測結果に基き、健康に関する指導・助言、健康に関する注意・警告、通院に関する指導・注意・警告、の少なくとも一つを前記表示部に表示する構成であることを特徴とする上記１〜６のいずれかに記載の尿糖検知便座。
【００２１】
８．表示部の表示画面の表面が、表示光を透過し得る多数の微細孔を有したスクリーンで被覆されており、該スクリーンが、該スクリーンの周囲の便座表面と略同一の色及び／又は模様を有する構成であることを特徴とする上記１〜７のいずれかに記載の尿糖検知便座。
【００２２】
９．前記スクリーン及び便座が濃色であることを特徴とする上記８に記載の尿糖検知便座。
【００２３】
１０．前記表示部に表示される表示内容の一部乃至は全部が、便座に座した使用者が目視可能な壁面・ドア面・天井面・床面のいずれかに投影表示される構成であることを特徴とする上記１〜９のいずれかに記載の尿糖検知便座。
【００２４】
１１．前記表示部に表示される表示内容の一部乃至は全部が、便座に座した使用者が目視可能な壁面・ドア面・天井面・床面のいずれかに配設された表示画面に有線又は無線を介して表示される構成であることを特徴とする上記１〜９のいずれかに記載の尿糖検知便座。
【００２５】
１２．脱臭機能を有する便器に適用する場合、検知時は脱臭機能をオフとし、検知後に脱臭機能をオンとする構成であることを特徴とする上記１〜１１に記載の尿糖検知便座。
【発明の効果】
【００２６】
請求項１に示す発明は、意識することなく正確な検知計測が可能な尿糖検知便座を提供することができる。
【００２７】
特に、臭いセンサが便器に組み込まれた状態で配設されている構成と、常に略一定の姿勢で排尿を行うこととが相俟って均一条件下での計測が可能である。
【００２８】
更に、測定結果の表示部が着座した使用者の両腿間となる位置に配設されているので、表示部の表示を確認しながらの測定が可能であり、両腿間の表示部の表示を注視しながらの測定によって使用者は測定の際に身体を左右に傾けたり捻ったりすることなく、自ずと姿勢良く測定することになるので、正確な測定が可能である。
【００２９】
請求項２に示す発明によれば、排尿箇所に極めて近い位置での検知が可能であるため、より正確な測定が可能である。
【００３０】
請求項３に示す発明によれば、ケトン体の検知により測定した尿糖の測定値から糖尿病・腎臓病の早期発見を期待することができる。
【００３１】
請求項４に示す発明によれば、尿中の含有量が数値で具体的に判るので、体調に関する状態を速やかに把握することができる。
【００３２】
請求項５に示す発明によれば、尿糖の数値が健全な範囲内であるか否かが瞬時に判るので、体調に関する状態を速やかに把握することができる。
【００３３】
請求項６に示す発明によれば、尿糖の数値が健全な範囲内であるか、注意を要すべき範囲であるか、異常有りの状態であるか、の程度が瞬時に判るので、体調に関する状態を速やかに把握することができる。
【００３４】
請求項７に示す発明によれば、計測結果に基いて使用者が現在どのような健康状態であるかが判るだけでなく、計測結果からどのようなしたら良いのか等の指針を得ることができる。従って、健康管理を積極的に進めていくことができる。
【００３５】
請求項８に示す発明によれば、測定を行っていないときには表示部の存在が目立たなくなるようにすることができる、乃至は存在しないように見せかけることができる。
【００３６】
請求項９に示す発明によれば、測定を行っていないときには表示部の存在が全く目立たず、便座と同化したように見せかけることができ、測定時には便座の上面に計測結果が浮かび上がるように表示されて印象の強い測定となる。
【００３７】
請求項１０又は１１に示す発明によれば、便座に着座した姿勢で表示部の表示内容を見易い姿勢で確認しながら測定することができるので、姿勢の良い状態での測定が可能となり、より正確な測定が可能となる。
【００３８】
請求項１２に示す発明によれば、脱臭機能を有する便器に適用する場合であっても正確な計測を行うことができる。
【図面の簡単な説明】
【００３９】
【図１】本発明に係る尿糖検知便座の一実施例の使用状態を示す概略平面図
【図２】図１の尿糖検知便座の表示部の表示例の一例を示す図
【図３】表示部の表示内容の他の例を示す図
【図４】表示部の表示内容の更に他の例を示す図
【図５】表示部の表示例の他の例を示す概略側面図
【図６】臭いセンサの組込構成の一例を示す概略構成図
【図７】図６に示す組込構成部分を平面視した際の概略構成図
【発明を実施するための形態】
【００４０】
次に、添付の図面に従って本発明を実施例に基づき詳細に説明する。
【００４１】
本発明に係る尿糖検知便座（以下、単に便座ということもある。）は、便所使用時に尿糖を検知測定し、日々の健康管理に有用なものである。
【００４２】
即ち、図１に示すように、本発明の便座１はＯ型であり、
該便座１には臭いセンサ２が組み込まれると共に、便座１に着座した使用者Ｍの両腿間となる位置であるＯ型の前端部の便座１上面に表示部３が配設された構成であり、
便座１に着座した使用者Ｍの排尿の臭気を前記臭いセンサ２が検知し、この検知した臭いから尿に含まれる尿糖を計測し、この計測した値に基き計測結果を前記表示部３に表示する構成である。図１において、符号４は便器蓋を示す。
【００４３】
前記臭いセンサ２は、排尿の臭気中のケトン体を検知する構成の臭いセンサであり、該臭いセンサ２としては、臭気中のケトン体を検知して含有量や含有率を計測することができる公知公用の臭いセンサを用いることができる。尚、臭いセンサは、公知のガスセンサ技術を用いたものであり、例えば、「人工」又は「電子」タング又はノーズとして知られる市販の装置を挙げることができる。本発明で使用できるセンサ技術としては、例えば、特表２００２−５２９６９４号、米国特許５９４５０６９号、同５９１８２５７号、同４９３８９２８号、同４９９２２４４号、５０３４１９２号、同５０７１７７０号、同５１４５６４５号、同５２５２２９２号、同５６０５６１２号、同５７５６８７９号、同５７８３１５４号、同５８３０４１２号等に記載の技術を上げることができる。更に、種々のセンサとして、導電性ポリマーガスセンサ、アプタマーバイオセンサ、増幅蛍光ポリマー（ＡＦＰ）センサ、表面音響波（ＳＡＷ）センサ、金属酸化物ガスセンサ、有機ガスセンサ、有機半導性ガスセンサ、固体電解質ガスセンサ、触媒ガスセンサ等を挙げることができる。
【００４４】
また前記臭いセンサ２は、便座１のＯ型の前方部分の内周面乃至は下面に臭気取込部２１が設けられ、該臭気取込部２１から取り込んだ臭気を排気する臭気排気部２２が便座のＯ型の外周面乃至は上面に設けられ、前記臭気取込部２１から臭気排気部２２の経路中で臭気を検知する構成であることが好ましい。便器内に配設される尿の臭気を臭気取込部２１から取込み、臭気排気部２２から排気するには、臭気の経路途中にモータ等を駆動源とするファンを配設することにより、このファンの送風作用によって行われることが好ましい。尚、臭気の経路中において臭いセンサ２の前方及び／又は後方にフィルタを配設することも好ましい。
【００４５】
表示部３に表示される表示内容としては、例えば、図２に示すような項目を挙げることができる。
【００４６】
符号３１で示される表示内容は、例えば、複数人で使用する場合に、各人が特定の番号で表示される領域に自己の種々のデータ（例えば、性別や年齢、身長等）を登録する部分であり、図２に示す実施例では１〜５の５人分のデータが保存可能な構成を有し、番号「１」に自己データを登録した者のデータ等が表示された状態を示している。尚、本実施例では１から５の５人分のデータを保存可能な構成としているが、１人のみであってもよいし、２〜４人分、或いは６人分以上のデータが保存可能であってもよい。
【００４７】
符号３２で示される表示内容は、「尿糖含有量表示部」であり、特定量の尿中の尿糖の含有量が表示される。
【００４８】
以上、本発明に係る尿糖検知便座について実施例に基づき説明したが、本発明は上記に限定されず、本発明の範囲内において他の態様を採ることができる。
【００４９】
例えば、表示部３としては、本発明は上記した図２に示す態様に限定されず本発明の範囲内において他の表示態様を採ることができる。
【００５０】
図３に示す表示部３は、計測した尿糖について図２に示すような具体的な数値を表示するのではなく、単に健康レベルにおける異常の有無のみを表示する「尿糖の異常の有無の表示部」３３であり、異常が無い場合は「○」表示、異常が有る場合は「×」表示としている。更に本態様の場合、「○」を安全を感じさせる緑色で点灯させ、「×」を危険を感じさせる赤色で点灯又は点滅させる構成としてもよい。
【００５１】
また、図４に示す表示部３は、健康レベルにおける異常の程度を表示する「尿糖の異常の程度を示す表示部」３４であり、異常が無い場合は短い棒グラフ部分（符号３４Ａ）で示し、異常有りではないが注意を要する場合はやや長い棒グラフ部分（符号３４Ｂ）で示し、異常有りの場合は長い棒グラフ部分（符号３４Ｃ）で示し、異常有りで更に危険な場合は最も長い棒グラフ部分（符号３４Ｄ）で示している。更に本態様の場合、異常が無い場合の棒グラフ部分（符号３４Ａ）については緑色、異常有りではないが注意を要する場合の棒グラフ部分（符号３４Ｂ）については黄色、異常有りの場合の棒グラフ部分（符号３４Ｃ）については橙色、異常有りで更に危険な場合の棒グラフ部分（符号３４Ｄ）については赤色、で各々点灯・点滅させる構成としてもよい。
【００５２】
尿糖の計測結果を図３に示す２段階、図４に示す４段階というように２段階以上で示す場合、計測から得られた尿糖値を例えば下記の基準値に当て嵌めて各段の示す範囲が決められることが好ましい。
【００５３】
［尿糖の基準値］
陰性(−)：５０ｍｇ／ｄＬ未満
擬陽性  ：５０〜１００ｍｇ／ｄＬ未満
陽性１＋：１００〜２５０ｍｇ／ｄＬ未満
陽性２＋：２５０〜５００ｍｇ／ｄＬ未満
陽性３＋：５００〜１０００ｍｇ／ｄＬ未満
陽性４＋：１０００〜２０００ｍｇ／ｄＬ未満
陽性５＋：２０００〜
【００５４】
即ち、上記の基準値を参考にした場合、尿糖の含有量が５０ｍｇ/ｄＬ未満の場合は異常無しであり、５０〜１００ｍｇ／ｄＬの範囲内の場合は尿糖が少量であって注意を要する健康状態であり、１００ｍｇ／ｄＬ超の場合は異常有りの健康状態である、との表示内容を表示部３に表示することができる。
【００５５】
更に表示部３は、数値や棒グラフ以外に文字等を表示させる構成としてもよい。例えば、尿糖の計測結果に基き、健康に関する指導・助言、健康に関する注意・警告、通院に関する指導・注意・警告、の少なくとも一つを表示部３に表示する構成を挙げることができる。
【００５６】
表示部３に表示する文字例としては、「健康です。」、「健康に注意しましょう。」、「受診をおすすめします。」、「病院にて受診しましょう。」、「昨日より尿糖値が高目です。」、「昨日より尿糖値が低目です。」、「尿糖値が安定しています。」、「アルコール類をひかえましょう。」、「ＧＩ値の低い食品をとりましょう。」等を挙げることができる。
【００５７】
更にまた、表示部３の表示画面の表面が、表示光を透過し得る多数の微細孔を有したスクリーンで被覆されており、該スクリーンが、該スクリーンの周囲の便座表面と略同一の色及び／又は模様を有する構成とすることもできる。
【００５８】
かかる構成によれば、使用時には、スクリーン背後の表示部３が点灯するので、表示部３の表示光がスクリーンの微細孔から前方へ透過する。従って、スクリーンを通して表示部３の表示内容が見えるようになる。このとき、スクリーンの色や模様は、微細孔から透過する表示光の明るさに負けて見えなくなるので、スクリーンの存在は何ら視覚的な邪魔にならない。
【００５９】
また、不使用時には、ディスプレイが非点灯となるので、スクリーンの背後が暗くなり、表示部３がスクリーンの前方からは見えなくなる。そして、背後からの透過光がなくなるため、スクリーンの表面の色や模様がはっきりと見えるようになり、表示部３周囲の便座１の表面部とスクリーンとが同一の色・模様に統一されて見えるようになる。従って、測定を行っていないときには表示部３の存在が目立たなくなるようにすることができる、乃至は存在しないように見せかけることができる。
【００６０】
特に、表示部３のスクリーンと便座１を濃色構成とすることによって、測定を行っていないときには表示部３の存在が全く目立たず、便座１と同化したように見せかけることができ、測定時には便座１の上面に計測結果が浮かび上がるように表示されて印象の強い測定となる。尚、この構成の場合、便座１だけでなく便器６、便器蓋４、更にはタンク部等の他の便器構成を含めて濃色で統一することが、より好ましい。濃色としては、例えば、黒色、濃紺色、濃灰色等が挙げられ、中でも黒色が最も好ましい。
【００６１】
更に、図５に示すように、表示部３に表示される表示内容の一部乃至は全部が、便座１に着座した使用者Ｍの目視可能な範囲にある壁面・ドア面・天井面・床面のいずれか、好ましくは正面位置にある壁面又はドア面８（図５に示す本実施例では正面のドア面）に投影表示される構成とすることもできる。図５において、符号３５は表示部３の表示内容を投影する光源である投影部であり、符号７は投影部３５から投影される投影光、符号９は便所の床である。
【００６２】
図５に示す構成によれば、便座１に着座した姿勢で見易い姿勢、好ましくは前を向いた姿勢で表示部３の表示内容を確認しながら測定することができるので、姿勢の良い状態での測定が可能となり、より正確な測定が可能となる。
【００６３】
また、表示部３に表示される表示内容の一部乃至は全部の表示は図５に示す投影表示以外に、便座１に座した使用者が目視可能な壁面又はドア面に配設された表示画面に有線又は無線を介して表示される構成としてもよい。配設された表示画面としては、例えば、液晶画面等の表示部を有するタブレット端末や、電子ペーパー方式の表示部を有する表示端末、有機ＥＬ方式の表示部を有する表示端末等を挙げることができる。
【００６４】
更に、臭いセンサ２の便座１への組込構成としては、例えば、図６及び図７（図６の組込構成部分を平面視した際の図）に示すような構成例を挙げることができる。即ち、図６及び図７において、便器内に排泄された尿は、その臭気が、モータ２５を駆動源として駆動するファン２４により、便座１に設けられた臭気取込部２１から取り込まれ、フィルタ２３を通過し、臭いセンサ２により尿糖が検知された後、臭気排気部２２から便器外に排出される。
【００６５】
以上の構成を有する本発明の尿糖検知便座によれば、意識することなく正確な検知計測が可能である。従って、自覚症状が乏しいため早期発見が困難である糖尿病・腎臓病について、排尿のチェックが容易に習慣化されて早期発見が可能となる。
【００６６】
尚、上記構成を有する尿糖検知便座による尿糖の検知に際しては、脱臭機能を有する便器に適用する場合、検知時は脱臭機能をオフとし、検知後に脱臭機能をオンとすることにより正確な計測を行うことができる。例えば、脱臭機能のオン／オフ・スイッチを設ける、又は着座後に一定時間経過したら脱臭機能をオンにする、若しくは尿糖検知に応じて脱臭機能をオンにする等のいずれの構成を採用してもよい。
【符号の説明】
【００６７】
１  尿糖検知便座
２  臭いセンサ
２１  臭気取込部
２２  臭気排気部
２３  フィルタ
２４  ファン
２５  モータ
３  表示部
３１  使用者表示部
３２  尿糖含有量表示部
３３  尿糖の異常の有無の表示部
３４  尿糖の異常の程度を示す表示部
３５  投影部
４  便器蓋
６  便器
７  投影光
８  壁面又はドア面
９  床
Ｍ  着座した使用者
【図１】
2018040701.tif 000003
【図２】
2018040701.tif 000004
【図３】
2018040701.tif 000005
【図４】
2018040701.tif 000006
【図５】
2018040701.tif 000007
【図６】
2018040701.tif 000008
【図７】
2018040701.tif 000009